(57)【要約】【課題】そこで本発明の目的は、玄関に置かれても違和感の無い外観をもちながら、衣服、あるいは頭髪等に付着した花粉を取り除くことのできる清浄効果をもつ空気清浄機を提供する。【解決手段】姿見用の鏡と一体となった縦長の空気清浄機の側面より空気を吸込み、空気清浄機の大風量の能力により上側より帰宅者に風を吹きかけて、衣服に付着した花粉を吹き飛ばしつつ吸込み除去する。【選択図】図１１
2019203664.tif 000002
【特許請求の範囲】
【請求項１】
筐体前面を姿見となる鏡と一体化し、側面背面は空気清浄機本体構造であり特に背面、及び側面に吸込み口、上面に排気する風の向きを変えることのできるフラップを配置したことを特徴とする姿見用鏡一体の玄関設置用空気清浄機。
【請求項２】
請求項１に記載の空気清浄機において、全面の姿見用鏡面には一部鏡でない縁取り部があり、その中に空気清浄機の運転を操作するタッチＳＷ、及び設定状態を表示する操作パネルが収容されていることを特徴とする空気清浄機。
【請求項３】
請求項１に記載の空気清浄機において、９m3/分以上の大風量を特徴とする空気清浄機。
【請求項４】
請求項２に記載の空気清浄機において、前面の鏡面内部に人感センサ、筐体側面、及び後部に臭いセンサ、ダストセンサを内蔵し、鏡の前に人が立つと自動で運転を開始する機能を持つこと、及び玄関の空間内の臭気成分、塵埃の濃度を検出して濃度の低下に応じて自動で運転状態を低減、停止する機能を持つことを特徴とする空気清浄機。
【発明の詳細な説明】
【技術分野】
【０００１】
本発明は、空気清浄機に関する。
【背景技術】
【０００２】
従来、空気清浄機は屋内生活空間内空気の異物(微小塵埃、ほこり、臭気ガス成分等)を除去する目的で、生活空間である寝室、居間などに設置するのが一般的である。
昨今の花粉症被害に対する一般消費者の対策として、より大風量でより早く空間を清浄できる空気清浄機が求められているが、本質的には生活空間内に花粉を持ち込まないことも重要な対策となる。具体的には、玄関の外で衣服に付着した花粉を振り落してから屋内に入室することが基本ではあるが、実生活上花粉シーズンである冬から春先にかけては気象条件(強風、寒冷な気温)からすぐ屋内に入りたい心理が働き、なかなか難しいのが現状であり、次善の策として玄関で花粉を取り除くことのできる方法が望まれていた。
特許文献１には、各々離間して独立的に配置された少なくとも３本以上の送風柱と、該送風柱で囲まれる空間の中央部床面に配置され吸引装置を有する空気清浄機が記載されている。
【先行技術文献】
【特許文献】
【０００３】
【特許文献１】特許第3144961号公報
【発明の概要】
【発明が解決しようとする課題】
【０００４】
上記の特許文献は、室内空間で効果的に塵埃を除去清浄化するシステムであるが、このように構造物がいくつも必要な構造だと、玄関先に設置するには不適当な大きさであり、装置そのものも高価になってしまう恐れがある。
また、花粉の付着した衣服のまま屋内に入った後、実生活空間まで花粉を持ち込まないためには、玄関で花粉を除去できれば非常に効果的である。しかしながら、一般に玄関は下足を履く脱ぐために必要な空間であり、下駄箱、外出時に着衣を確認する姿見程度の家具しか置くことができないのが一般的であり、そこに空気清浄機を設置することは外観上も違和感があるため実際には設置されるケースはほとんど見られない。
【０００５】
そこで本発明の目的は、玄関に置かれても違和感の無い外観をもちながら、衣服、あるいは頭髪等に付着した花粉を取り除くことのできる清浄効果をもつ空気清浄機を提供することにある。
【課題を解決するための手段】
【０００６】
前記課題を解決するために、本発明の空気清浄機は、姿見用の鏡と一体となった縦長の空気清浄機の側面より空気を吸込み、空気清浄機の大風量の能力により上側より帰宅者に風を吹きかけて、衣服に付着した花粉を吹き飛ばしつつ吸込み除去する機能を持つことを特徴とする。
【発明の効果】
【０００７】
玄関に置かれても違和感の無い外観をもちながら、衣服、あるいは頭髪等に付着した花粉を取り除くことのできる清浄効果をもつ空気清浄機を提供することができる。
また、この空気清浄機は、正面からは姿見用の鏡としか見えないが、鏡の背面に一体に組み込んだ筐体後部側面に配置した吸込み口より玄関の空気を吸込み、コンパクトな本体でありながら9m3/分以上の大風量で空気を清浄できることにより、鏡の上部背面側より空気を勢いよく吐出して鏡の前にいる帰宅者に吹きかけることで、衣服に付着している花粉、塵埃を吹き飛ばすことで玄関で花粉を除去し、室内生活空間に侵入する花粉を大幅に低減することができる。
【０００８】
また、姿見の鏡には背面の空気清浄機の運転を切り替えるためのタッチスイッチ、及び各運転の設定状態を浮き出る形で表示することができ、背面を覗き込む必要がない。
また、空気清浄機の備えているセンサで花粉の濃度、においの濃度等検出した数値も、
表示し、清浄度合いを確認することができる。
【０００９】
さらに、前に人が立っていることを検出するセンサにより、帰宅した人を検出して自動的に花粉除去のための運転を開始することができ、帰宅者が玄関より室内に移動したら穏やかな運転に切替り、やがて停止するまでを自動で行う。このことにより効果的で省エネの効果をもたらすことができる。
【図面の簡単な説明】
【００１０】
【図１】本発明の実施形態に係る空気清浄機の外観斜視図である。
【図２】本発明の実施形態に係る空気清浄機の分解斜視図である。
【図３】本発明の実施形態に係る空気清浄機を背面から見た際の分解斜視図である。
【図４】本発明の実施形態に係る空気清浄機を背面から見た際の空気の誘導を示す外観斜視図である。
【図５】本発明の別の実施形態に係る空気清浄機を背面から見た際の空気の誘導を示す外観斜視図である。
【図６】本発明の実施形態に係る空気清浄機正面のフロントパネルの分解斜視図である。
【図７】本発明の実施形態に係る空気清浄機正面のフロントパネル内部の基板ユニットの分解斜視図である。
【図８】本発明の実施形態に係る空気清浄機正面のフロントパネルのタッチスイッチ、及び設定表示部の全点灯状態図である。
【図９】本発明の実施形態に係る空気清浄機正面のフロントパネルの外観図である。
【図１０】本発明の実施形態に係る空気清浄機正面のフロントパネル内部の基板ユニットの縦断面図である。
【図１１】本発明の実施形態に係る空気清浄機の縦断面図である。
【発明を実施するための形態】
【００１１】
以下に、本発明の実施形態について適宜図面を参照しながら詳細に説明する。
図１は、本発明の実施形態に係る空気清浄機１の外観斜視図である。図２は、空気清浄機１の分解斜視図である。図３は、本発明の実施形態に係る空気清浄機を背面から見た際の分解斜視図である。図４は、本発明の実施形態に係る空気清浄機を背面から見た際の空気の誘導を示す外観斜視図である。図５は、本発明の別の実施形態に係る空気清浄機を背面から見た際の空気の誘導を示す外観斜視図である。図６は、本発明の実施形態に係る空気清浄機正面のフロントパネルの分解斜視図である。図７は、本発明の実施形態に係る空気清浄機正面のフロントパネル内部の基板ユニットの分解斜視図である。図８は、本発明の実施形態に係る空気清浄機正面のフロントパネルのタッチスイッチ、及び設定表示部の全点灯状態図である。図９は、本発明の実施形態に係る空気清浄機正面のフロントパネルの外観図である。図１０は、本発明の実施形態に係る空気清浄機正面のフロントパネル内部の基板ユニットの縦断面図である。図１１は、本発明の実施形態に係る空気清浄機の縦断面図である。
【００１２】
図１及び図２に示すように、本実施形態に係る空気清浄機１は、フロントパネル４ａと、一対のサイドパネル４ｂ，４ｂ（図１には、左側のサイドパネル４ｂのみ図示）と、アッパケース４ｃと、リアパネル４ｄと、を備えてハウジング４が形成されている。
【００１３】
図１及び図２中、符号７は、開閉角度の調節可能な後記するフラップである。
ちなみに、このフラップ７は、後縁側を軸にして前縁側が持ち上がるように回動して開く構成となっている。
【００１４】
図２に示すように、空気清浄機１のハウジング４内には、リアパネル４ｄ側からフロントパネル４ａ側に向かって、浄化フィルタユニット８と、送風機構１０がこの順番で配置されている。
浄化フィルタユニット８は、プレフィルタ８ａと、集塵フィルタ８ｂと、脱臭フィルタ８ｃとで主に構成され、送風機構１０は、遠心ファン１１と、スクロール１２と、モータ１３とで主に構成されている。
【００１５】
ちなみに、このハウジング４内には、後記する送風機構１０の遠心ファン１１が回転することによって、リアパネル４ｄの両側縁部の吸込み口４ｇ，４ｇからハウジング４の外部の空気が流入する。そして、この空気流は浄化フィルタユニット８を流通する。
その後、空気は、遠心ファン１１が収納されるスクロール１２の上部開口からフラップ７を介して空気清浄機１のハウジング４外に送り出される。
【００１６】
浄化フィルタユニット８は、リアパネル４ｄ側からフロントパネル４ａ側に向かって、プレフィルタ８ａと、集塵フィルタ８ｂと、脱臭フィルタ８ｃと、がこの順番で配置されて構成されている。
【００１７】
プレフィルタ８ａは、綿ゴミ等の比較的大きなゴミを捕集するものである。集塵フィルタ８ｂは、チリ、ホコリ、花粉等の比較的小さな微粒子を捕集するものである。脱臭フィルタ８ｃは、臭いの元となる化学物質を吸着するものである。
【００１８】
送風機構１０は、スクロール１２内に配置される遠心ファン１１と、この遠心ファン１１を回転させるモータ１３とを備えて構成されている。
この送風機構１０は、前記したように、遠心ファン１１が回転することにより、リアパネル４ｄの吸込み口４ｇ，４ｇから導入した空気を浄化フィルタユニット８に流通させた後、フラップ７を介してハウジング４外に送り出す。
【００１９】
フラップ７は、下記に従い自動的に開閉する。未使用時は閉じており、機内にホコリ、異物が侵入するのを防止する。例えば人感センサ４ａ３７（図７）により、玄関に入ってきた人を検知した場合、あるいは使用者の操作により運転を開始した場合、フラップ７が開き送風機構１０が急速に運転を始めて風を送り出す。この時フラップ７は前方斜め45度に傾いた状態で自動的に停止し、前方にいる人に向けて風を当てるように動作する。
【００２０】
機器本体前面のフロントパネル４ａは、図６に示すように、強化処理が施されたミラーガラス板４ａ１と、ミラーガラス板４ａ１を保持しフロントパネル４ａの枠となる枠体４ａ２と、表示ユニット４ａ３と、ガラス板４ａ１と枠体４ａ２とを保持しフロントパネル４ａの骨格となるパネルベース４ａ４と、を有する。
このフロントパネル４ａは外観上、鏡であり玄関設置上は姿見として機能する。図１１に示すようにパネル面４ｍは上側を支点として下側を引き出すことができ、姿全体を鏡であるミラーガラス板４ａ１に映してみることができるよう角度を変えることができる。
玄関に置かれても違和感の無い外観をもちながら、衣服、あるいは頭髪等に付着した花粉を取り除くことのできる清浄効果をもつ空気清浄機を提供することができる。
【００２１】
ミラーガラス板４ａ１の表面にはタッチスイッチによる操作部が設けられている。
操作部は、指先で触れることでスイッチとして応答するタッチスイッチ部と、空気清浄機の設定状態を表示するＬＥＤ表示部からなり、通常は鏡の枠の一部としての印刷面で
あるが、操作によりＬＥＤが点灯すると背面より浮き出るように操作部全体がＬＥＤ光で浮き出て表示し、一定の時間が経過するとＬＥＤが消灯しただの印刷面となる。姿見の鏡には背面の空気清浄機の運転を切り替えるためのタッチスイッチ、及び各運転の設定状態を浮き出る形で表示することができ、背面を覗き込む必要がない。
【００２２】
図７は、表示ユニット４ａ３の分解斜視図である。図７により、表示ユニット４ａ３の構造を説明する。
【００２３】
表示ユニット４ａ３は、印刷フィルム４ａ３１と、導光板４ａ３２と、ミラーガラス板４ａ１の表面の操作部を手で触れることによる静電容量の変化を検出する検出部であるタッチスイッチ基板４ａ３３と、表示基板４ａ３５の照明手段の光を前方向へのみ出射するようにするような穴があいている遮光板４ａ３４と、該検出部の検出結果に基づいて基板上の照明手段（ＬＥＤ）を制御する制御部である表示基板４ａ３５と、ケース４ａ３６と、を備える。なお、表示ユニット４ａ３は、導光板４ａ３２とタッチスイッチ基板４ａ３３と、遮光板４ａ３４と、表示基板４ａ３５と、を収容し、印刷フィルム４ａ３１を貼り付けるケース４ａ３６からなり、各基板上のＬＥＤにより照明されて、ミラーガラス板４ａ１前面までその光が透過して、浮き上がって見えるように構成されている。
【００２４】
文字、記号を抜き文字とした印刷フィルム４ａ３１は、表示ユニット４ａ３の表面に貼りつけられている。印刷フィルム４ａ３１は、ミラーガラス板４ａ１の裏面に、密着或いは隙間がごく僅かとなるよう取り付けられている。そのため、ミラーガラス板４ａ１を透過して、正面から、明確にその文字表示を確認することができる。すなわち、視認性が高く、かつ平面なミラーガラス板４ａ１で外表面が構成された、外観性の優れたフロントパネル４ａを構成している。さらにこの印刷フィルム４ａ３１の印刷色は、ミラーガラス板４ａ１を正面から見たときに表示部とその周囲の光隠蔽塗装との差が出ないように合わせて、フロントパネル４ａの外観が一様な塗装と見えるようにして意匠性を高めている。
【００２５】
静電容量の変化を検出する検出部であるタッチスイッチ基板４ａ３３には、検出部位置を投影するためのＬＥＤも搭載し、タッチスイッチ基板４ａ３３の基板面上に密着して配置される導光板４ａ３２により、その光で明確にミラーガラス板４ａ１表面上の操作部エリアを投影する。さらに導光板４ａ３２は、印刷フィルム４ａ３１にも密着している。
【００２６】
表示基板４ａ３５は、タッチスイッチ基板４ａ３３による検出部の検出結果に基づいて基板上の照明手段（ＬＥＤ）を制御し、操作状態をミラーガラス板４ａ１に透過表示するためのものである。
【００２７】
また、上面で操作、機器の状態表示を行っている機器の場合、操作後に機器より離れてしまうと機器の上面は見難く、近づかないと操作や状態を確認できない場合が多いが、本実施例のように表示ユニット４ａ３を備えるフロントパネル４ａを空気清浄機１の前側面備え、空気清浄機１の前側面にて機器の状態をＬＥＤ光照明により表示を行うことで、離れた所からでも機器の状態を明確に視認することができる。
【００２８】
なお、操作の判定部（図示せず）は、ミラーガラス板４ａ１表面操作部とタッチスイッチ基板４ａ３３との間の静電容量変化を検出した信号が、ある閾値を超えたときに操作の判定を行う。静電容量に変化がある場合、当該静電容量の変化に応じて発振，振幅が変化する発振回路を含んでいる。これにより、判定部が出力するスイッチ信号，オン／オフ信号を取り出した自動制御部は、負荷駆動の出力を行う。なお、単にミラーガラス板４ａ１表面操作部に使用者が近接したり、使用者が掃除のために拭いたりする動作等によっては、判定部がオン／オフ信号を出力しない構成としてもよい。
【００２９】
ミラーガラス板４ａ１の表面操作部に対向するミラーガラス板４ａ１の裏面には、表示ユニット４ａ３の印刷フィルム４ａ３１が密着するよう取り付けられ、その文字表示はタッチスイッチ基板４ａ３３、表示基板４ａ３５のＬＥＤ発光により、裏面から照らされて明示される。
【００３０】
さらに表示ユニット４ａ３内部には、前に人がいることを検出する人感センサ４ａ３７が内蔵されており、本体が電源ＯＦＦ状態で設置されていても玄関内に人が入ってきたことを検出すると、自動的にフラップ７が前斜め４５°の角度に開き、最大風量で運転を開始しエアシャワーのように前に立つ人に風を吹きつけながら、周囲に吹き飛ばされた花粉を吸引し始める。この際、帰宅者はぐるっと180°まわりながら全身に風が当たるように、あるいは着ていたコートなどの上着を脱いで風に当たるようにすることでより効果的に付着した花粉を吹き飛ばすことができる。
最大風量を９m3/分以上の大風量とすると、花粉などの吹き飛ばし効果を増加することができる。この空気清浄機は、正面からは姿見用の鏡としか見えないが、鏡の背面に一体に組み込んだ筐体後部側面に配置した吸込み口より玄関の空気を吸込み、コンパクトな本体でありながら9m3/分以上の大風量で空気を清浄できることにより、鏡の上部背面側より空気を勢いよく吐出して鏡の前にいる帰宅者に吹きかけることで、衣服に付着している花粉、塵埃を吹き飛ばすことで玄関で花粉を除去し、室内生活空間に侵入する花粉を大幅に低減することができる。
【００３１】
前面の鏡面内部に人感センサ、筐体側面、及び後部に臭いセンサ、ダストセンサを内蔵し、鏡の前に人が立つと自動で運転を開始する機能を持つこと、及び玄関の空間内の臭気成分、塵埃の濃度を検出して濃度の低下に応じて自動で運転状態を低減、停止する機能を持つことで、効果的で省エネの効果を奏することができる。前に人が立っていることを検出するセンサにより、帰宅した人を検出して自動的に花粉除去のための運転を開始することができ、帰宅者が玄関より室内に移動したら穏やかな運転に切替り、やがて停止するまでを自動で行う。このことにより効果的で省エネの効果をもたらすことができる。
【００３２】
花粉シーズン外を含め、玄関に入室の際不要に風が当たることを避けたい場合には、本体設定により、通常の空気清浄機としてのみ動作させることもできる。
空気清浄機としての動作一切が不要な場合には、コンセントを抜いてしまえばよい。
また、空気清浄機の備えているセンサで花粉の濃度、においの濃度等検出した数値も、
表示し、清浄度合いを確認することができる。
【００３３】
以上のようにこの装置を設置することにより、外出先から帰宅した際に衣服に付着した花粉を、玄関先で効果的に除去することにより屋内の生活空間での花粉症による被害を大幅に低減することができる。
【符号の説明】
【００３４】
１        空気清浄機
４        ハウジング
４ａ      フロントパネル
４ａ１    ミラーガラス板
４ａ２    枠体
４ａ３    表示ユニット
４ａ３１  印刷フィルム
４ａ３２  導光板
４ａ３３  タッチスイッチ基板
４ａ３４  遮光板
４ａ３５  表示基板
４ａ３６  ケース
４ａ３７  人感センサ
４ａ４    パネルベース
４ｂ    サイドパネル
４ｃ    アッパケース
４ｄ    リアパネル
４ｅ    リアケース
７      フラップ
８      浄化フィルタユニット
８ａ    プレフィルタ
８ｂ    集塵フィルタ
８ｃ    脱臭フィルタ
１０    送風機構
１１    遠心ファン
１２    スクロール
１３    モータ
【図１】
2019203664.tif 000003
【図２】
2019203664.tif 000004
【図３】
2019203664.tif 000005
【図４】
2019203664.tif 000006
【図５】
2019203664.tif 000007
【図６】
2019203664.tif 000008
【図７】
2019203664.tif 000009
【図８】
2019203664.tif 000010
【図９】
2019203664.tif 000011
【図１０】
2019203664.tif 000012
【図１１】
2019203664.tif 000013